(57)【特許請求の範囲】
【請求項１】
紙の始端を把持して紙を搬送する紙搬送手段と、この紙搬送手段と間隔を有して配設された紙案内手段とを備え、前記紙案内手段を駆動する専用の駆動手段を紙搬送手段の本機側の駆動手段とは別に設けるとともに、前記紙案内手段を紙搬送手段による紙の搬送とほぼ同じ方向および速度で移動させるように、前記専用の駆動手段を制御する制御装置を設けたことを特徴とする印刷機の紙案内装置。
【請求項２】
紙の始端を把持して紙を搬送する紙搬送手段と、この紙搬送手段の下方に配設された紙案内手段とを備え、前記紙案内手段を駆動する専用の駆動手段を紙搬送手段の本機側の駆動手段とは別に設けるとともに、前記紙案内手段を紙搬送手段による紙の搬送とほぼ同じ方向および速度で移動させるように、前記専用の駆動手段を制御する制御装置を設けたことを特徴とする印刷機の紙案内装置。
【請求項３】
請求項１または２記載の印刷機の紙案内装置において、前記紙案内手段の方向に紙を吸引する吸引手段を備えたことを特徴とする印刷機の紙案内装置。
【請求項４】
紙の始端を把持して紙を搬送する紙搬送手段と、この紙搬送手段と間隔を有して紙搬送手段の上方および下方に配設された紙案内手段とを備え、前記上方および下方の紙案内手段を前記紙搬送手段による紙の搬送とほぼ同じ方向および速度で移動させたことを特徴とする印刷機の紙案内装置。
【請求項５】
紙の始端を把持して紙を搬送する胴と、この胴と間隔を有して配設された紙案内手段とを備え、前記紙案内手段を前記紙搬送手段による紙の搬送とほぼ同じ方向および速度で移動させるベルトとし、前記胴と同心円状に形成され前記ベルトを案内するベルトガイドを設けたことを特徴とする印刷機の紙案内装置。
【発明の詳細な説明】
【０００１】
【発明の属する技術分野】
本発明は渡し胴あるいは排紙チェーンによって搬送される紙の紙案内装置に関する。
【０００２】
【従来の技術】
印刷機の各印刷ユニットの印刷部で印刷された紙は、各印刷ユニット間に設けられた渡し胴によって下流側の印刷ユニットに搬送される。各印刷ユニットの渡し胴のくわえ爪にくわえられて搬送される紙は、始端のみくわえ爪にくわえられ紙尻は自由な状態となっており、しかも胴の配列上、紙は渡し胴の下方を搬送されるように構成されている。このため渡し胴の回転にともなって、紙尻が渡し胴から離間して紙全体が大きく波を打ち、近傍の部材と接触し、紙に傷や折れ目、汚れが発生する。特に反転印刷機においては、紙の両面が印刷されるため、紙表面の汚れはそのまま印刷面の汚れとなるため大きな問題となる。
この問題を解消するために、実公平７−１１９７３号公報に開示されたものでは、渡し胴の下方近傍に紙を案内する紙ガイドを設け、この紙ガイドで紙全体が大きく波を打つのを防止している。
【０００３】
また、最終の印刷ユニットでの印刷がなされた紙は、最終の印刷ユニットの圧胴のくわえ爪装置から排紙部の排紙チェーンのくわえ爪装置にくわえ替えられ、排紙チェーンによって搬送されて、紙積台の上方でくわえ爪装置のくわえから解放されて紙積台上に落下して積載される。この排紙部においても排紙チェーンのくわえ爪装置によってくわえられているのは紙の始端だけであって、排紙チェーンの走行にともなって紙全体が大きく波立って暴れ易い。このため近傍の部材と接触してこすれ、紙に傷や汚れが発生する。これを防止するため、排紙部ではエアーを吹き付けたり吸引したりして紙の暴れを抑えているが、これは紙と周辺部材を接触させる結果となり、逆に傷や汚れを助長する結果となっていた。
これを解決するために、実公平５−８２８８号公報に開示されたものは、搬送チェーンの下方の近傍に紙を案内する紙ガイドを設け、この紙ガイドで紙の暴れを防止している。
【０００４】
【発明が解決しようとする課題】
しかしながら、上述したいずれの例も、紙ガイドが渡し胴あるいは排紙チェーンに対して固定されているので、紙の波立ちや暴れを防止して紙を案内することはできても、紙が紙ガイドに摺接しながら搬送されるため、完全に傷や汚れを防止することはできないという問題は残る。
【０００５】
したがって、本発明は上記した従来の問題を解決するためになされたもので、その目的とするところは、紙に傷や汚れが発生するのを防止して品質の向上を図った印刷機の紙案内装置を提供することにある。
【０００６】
【課題を解決するための手段】
この目的を達成するために、本発明に係る印刷機の紙案内装置は、紙の始端を把持して紙を搬送する紙搬送手段と、この紙搬送手段と間隔を有して配設された紙案内手段とを備え、前記紙案内手段を駆動する専用の駆動手段を紙搬送手段の本機側の駆動手段とは別に設けるとともに、前記紙案内手段を紙搬送手段による紙の搬送とほぼ同じ方向および速度で移動させるように、前記専用の駆動手段を制御する制御装置を設けたものである。
したがって、紙は紙案内手段に接触して紙の波打ちや暴れが規制されるとともに、搬送される紙と紙案内手段とが相対的に停止状態にある。また、紙案内手段と本機側の駆動手段との間の連結手段が不要となる。
また、本発明に係る印刷機の紙案内装置は、紙案内手段の方向に紙を吸引する吸引手段を備えたものである。
したがって、紙は強制的に紙案内手段に添接される。
【０００７】
【発明の実施の形態】
以下、本発明の実施の形態を図に基づいて説明する。図１は本発明に係る印刷機の紙案内装置の側面図、図２は同じく要部の側面図、図３は同じく要部の拡大斜視図、図４（ａ）は図２におけるIVa-IVa 線断面図、同図（ｂ）は図２における IVb-IVb線断面図である。
これらの図において、符号１で示すものは紙搬送手段としての渡し胴、２は上流側の印刷ユニットの圧胴、３は下流側の印刷ユニットの圧胴である。これら渡し胴１、圧胴２，３は爪と爪台とからなるくわえ爪装置４，５，６が周面の切欠き内に設けられており、紙７は始端をこれらくわえ爪装置４，５，６にくわえ替えられて矢印で示す方向に上流側から下流側に搬送される。
【０００８】
全体を符号８で示すものが、渡し胴１の下方に設けられた本発明の特徴である紙案内装置としての紙案内手段であり、以下これを説明する。図４（ｂ）に示すように、この紙案内手段８には、左右のフレーム９（一方のフレームは図示を省略）の軸受１０ａ，１１ａ（１１ａは図示を省略）に回転自在に支持された左右一対の駆動側スプロケット１０と従動側スプロケット１１（ともに一方のスプロケットは図示を省略）とが備えられている。駆動側スプロケット１０の軸端部に固定された駆動ギア１２には、図示を省略した印刷機のモータを駆動源として回転する本機側のギア１３が噛合しており、駆動側スプロケット１０は後述する案内ベルト２０が前記渡し胴１の周速度とほぼ同じ速度で、かつ同じ方向、すなわちＡ方向に走行するようにギア連結されている。
【０００９】
これら両スプロケット１０，１１には、ピンで枢着されて連結された複数のリンク部材１６で形成された左右一対のチェーン１５が張架されている。１７，１７はチェーン１５の走行方向に一定の間隔をおいて、搬送される紙７の幅方向に横架され左右のリンク部材１６に固定された一対の支持バーである。１８は後述する案内ベルト２０の幅とほぼ同じ間隔をもって対をなす円筒状のスリーブであって、支持バー１７に軸線方向への移動が規制されて支持バー１７に回転自在に支持されており、支持バー１７の軸線方向に複数対設けられている。これらスリーブ１８には、紙の搬送方向Ａに沿って複数本の無端状の案内ベルト２０が固着されており、チェーン１５の走行と一体的に走行する。
【００１０】
図４（ａ）において、２２は前記渡し胴１の外周面に沿って円弧状に形成されて前記両スプロケット１０，１１間の上下に一対設けられた案内板であって、フレーム９にブラケット２１を介して固定されている。この案内板２２の中央には、渡し胴１と同心円状に形成された案内溝２２ａが穿設されており、この案内溝２２ａには、前記チェーン１５が嵌合し、チェーン１５はこの案内溝２２ａに案内されて走行する。したがって、支持バー１７を介してチェーン１５に一体化された案内ベルト２０は、渡し胴１の外周面と等間隔を保って走行する。
【００１１】
このような構成において、上流側の圧胴２のくわえ爪装置５から渡し胴１のくわえ爪装置４にくわえ替えられた紙７の紙尻は、下方の案内ベルト２０に載置される。このとき、案内ベルト２０の走行速度と渡し胴１の周速度が同じ速度で、かつ同じ方向であるので、案内ベルト２０と渡し胴１とが相対的に停止状態にあり、このため紙７の紙尻が案内ベルト２０に対して摺接することがなく、紙７の印刷面に傷や汚れが発生することがない。
また、紙７の紙尻は無端状の案内ベルト２０に確実に接触するので、案内が確実で紙詰まりを起こすようなことがない。
【００１２】
図５は本発明の第２の実施の形態を示し、（ａ）は紙案内装置の側面図、（ｂ）は（ａ）におけるVb-Vb 線断面図である。この第２の実施の形態においては、上述した第１の実施の形態における両スプロケット１０、１１の代わりに駆動プーリ２５と従動プーリ２６とが設けられており、これら両プーリ２５，２６との間に案内ベルト２７が直接張架されている。この案内ベルト２７は、断面が逆エの字状を呈し、下面中央部が下方に突出し先端が幅広状の係合部２７ａを形成している。また上部側の案内ベルト２７の下方には、３本のステー２８が左右のフレーム９にその両端が固定されて搬送される紙７の幅方向に横架されている。
【００１３】
これら３本のステー２８上には、このステー２８と直交して両プーリ２５，２６間に位置するようにベルトガイド２９が固定されており、このベルトガイド２９は紙７の幅方向に複数本配設されている。このベルトガイド２９は渡し胴１と同心円状となるように円弧状に形成され、上端面の中央部に紙７の搬送方向に沿ってガイド溝２９ａが凹設されている。ガイド溝２９ａの両側の立壁２９ｂの上端面には、紙７の搬送方向に一定の間隔をおいて円板状のころ３０が回転自在に支持されている。
【００１４】
前記案内ベルト２７は、係合部２７ａがベルトガイド２９のガイド溝２９ａ内に係入させることによって、ころ３０によって抜けを防止されるとともに、ころ３０によって紙の搬送方向、すなわち渡し胴１の回転方向と同じ方向Ａに沿って案内される。したがって、案内ベルト２７は駆動プーリ２５が駆動されて走行すると、ベルトガイド２９が渡し胴１と同心円状に円弧状に形成されているので、渡し胴１の外周面と等間隔を保って渡し胴１の周速度と同じ速度で走行する。
このため上述した第１の実施の形態と同様に、渡し胴１のくわえ爪装置４に始端をくわえられて搬送される紙７の紙尻が案内ベルト２７に対して摺接することがなく、紙７の印刷面に傷や汚れが発生することがない。
【００１５】
図６は本発明の第３の実施の形態を示す側面図である。この第３の実施の形態においては、上述した第１の実施の形態における案内ベルト２０を３個に分割したものである。案内ベルト２０は渡し胴１の回転方向Ａと同じ方向で、かつ渡し胴１の周速度とほぼ同じ速度で走行する。このように案内ベルト２０を複数個に分割することにより、上述した第１の実施の形態と同様な作用効果を有することは勿論であるが、駆動スプロケット１０を複数設けることができるので、案内ベルト２０の走行が安定する。
【００１６】
図７は本発明の第４の実施の形態を示す側面図である。この第４の実施の形態は、上述した第１〜第３の実施の形態における案内ベルト２０の代わりに、渡し胴１の胴長とほぼ同じ長さを有する複数本のローラ３２を渡し胴１の外周面に沿って渡し胴１の胴軸線に平行となるようにフレーム（図示せず）に回転自在に支持したものである。これらローラ３２の下端部は、上述した第１の実施の形態で説明した案内ベルト２０と同様な駆動用ベルト２０の上部が添接されている。したがって、ローラ３２は駆動用ベルト２０の走行に随伴して回転し、その回転方向は渡し胴１の回転方向Ａと同じで、かつその周速度は渡し胴１の周速度とほぼ同じとなる。
なお、この駆動用ベルト２０は、前記案内ベルト２０のようなチェーン１５や支持バー１７とを使用せずに、駆動用のプーリ１０と従動用のプーリ１１および案内用ローラ等によって構成してもよい。
【００１７】
このようにローラ３２の周速度と渡し胴１の周速度がほぼ同じとなるので、ローラ３２と渡し胴１とが相対的に停止状態にあり、このため渡し胴１のくわえ爪装置４にくわえられて搬送する紙７の紙尻はローラ３２に対して摺接することがなく、紙７の印刷面に傷や汚れが発生することがない。
なお、この第４の実施の形態では、ローラ３２の駆動手段として案内ベルト２０を用いたが、印刷機の本機側のギアとのギア連結によって行うようにしてもよい。
【００１８】
図８は本発明を印刷機の排紙部に実施した第５の実施の形態を示すもので、排紙部を示す側面図である。同図において、３５は最終印刷ユニットの渡し胴、３６はこの渡し胴３５と同径で圧胴３５に対接する排紙胴、３７は左右の排紙フレーム３８に近接し、排紙胴３６と同軸上に軸着された一対のスプロケット、３９は排紙フレーム３８の後部に設けられた左右一対のスプロケット、４０はこれらスプロケット３７，３９間に張架された紙搬送手段としての排紙チェーンである。
【００１９】
スプロケット３７、３９の回転にともなって同図矢印Ｂで示す方向に走行する左右の排紙チェーン４０間には、爪軸４１と爪台軸４２とが一定間隔で支架されており、各爪軸４１上と爪台軸４２上には、爪４３と爪台４４とが互いに対応して並設されていて、これら爪竿と爪４３、爪台４４とで爪竿４５が構成されている。爪竿４５の爪４３はカム機構（図示せず）で開閉し、爪台４４との間で紙７を搬送するものであって、その搬送終端部下方にはくわえから開放されて落下する紙７を載置する紙積台４６が配設されている。
【００２０】
排紙チェーン４０の下方には、駆動プーリ２５と従動プーリ２６に張架された案内ベルト２０が、排紙チェーン４０に沿って排紙チェーン４０との間隔を等間隔に保持されるように直線状に配設されており、排紙チェーン４０の走行方向Ｂと同方向で、かつ同速度で走行する。案内ベルト２０の内部には、排紙チェーン４０に沿って排紙チェーン４０から案内ベルト２０側、すなわち矢印Ｃ方向にエアー４８を吸引する３個のファン４７が配設されている。
【００２１】
このように配設されていることにより、爪竿４５にくわえられた紙７の紙尻は、ファン４７によって強制的に案内ベルト２０側に吸引されて、紙尻は案内ベルト２０に添接する。案内ベルト２０に添接された紙尻は、案内ベルト２０の走行に随伴して搬送されるが、案内ベルト２０が排紙チェーン４０の走行方向と同じで、かつ走行速度がほぼ同じであるので、紙尻は案内ベルト２０に対して摺接することがない。このとき、ファン４７によって紙７の紙尻は強制的に案内ベルト２０に添接されるので、紙７の暴れを確実に防止することができる。
【００２２】
なお、紙７の紙尻を案内ベルト２０側に吸引する手段としては、ファン４７に限定されず、例えば吸引孔を有するエアー管を案内ベルト２０の内部に配設し、エアーポンプによってエアー管のエアーを吸引するようにしてもよく、種々の設計変更が可能である。
また、本実施の形態においては、案内手段として案内ベルト２０に吸引手段を設けたが、上述した図７に示した第４の実施の形態において説明したローラ３２にも適用できることは勿論である。
【００２３】
図９は本発明を印刷機の排紙部に実施した第６の実施の形態を示すもので、排紙部を示す側面図である。この第６の実施の形態では、排紙チェーン４０の上方にも、駆動プーリ２５と従動プーリ２６に張架された案内ベルト２０が、排紙チェーン４０に沿って排紙チェーン４０との間隔を等間隔に保持されるように直線状に配設されており、この案内ベルト２０も排紙チェーン４０の走行方向Ｂと同方向で、かつ同速度で走行している。また、排紙チェーン４０の下方に配設された案内ベルト２０の内部には、上述した第５の実施の形態で説明したファン４７は設けられていない。
このように構成されていることによって、排紙チェーン４０のＢ方向の走行にともなって爪竿４５にくわえられた紙７はＢ方向に搬送され、その紙尻は両案内ベルト２０の少なくともいずれか一方に添接するので、紙７の暴れを確実に防止することができる。
【００２４】
図１０は本発明の第７の実施の形態を示すもので、上述した各実施の形態における紙案内手段８を駆動する駆動部のブロック図である。
同図において、５１は渡し胴の回転速度あるいは排紙チェーンの走行速度を検出するロータリエンコーダ等で構成される印刷速度検出器である。５２は渡し胴等を回転駆動する本機側のモータ（図示せず）とは別に設けられた前述した案内ベルト２０，２７あるいはローラ３２を専用に回転駆動する紙案内手段用モータ、５３は案内ベルト２０，２７の走行速度あるいはローラ３２の回転速度を検出するロータリエンコーダ等で構成される紙案内手段速度検出器である。５４は前記紙案内手段用モータ５２の回転速度を制御する制御装置である。
【００２５】
このような構成において、制御装置５４は、印刷速度検出器５１と紙案内手段検出器５３とからの入力データに基づいて、前記紙案内手段が紙搬送手段による紙を搬送させる速度とほぼ同じ速度で移動するように、紙案内手段用モータ５２の回転速度を制御する。
このように、本機側のモータとは別に紙案内手段専用のモータ５２を設けたことにより、本機側のモータ単独で紙案内手段を駆動するのと比較して、連結用のギアを大幅に減らすことが可能であり、このため構造が簡素化されるとともに、印刷機全体の大型化が防止される。
なお、この第７の実施の形態では、制御装置５４で制御するのは紙案内手段専用のモータ５２のみとしているが、本機側のモータの回転速度も併せて制御するようにしてもよい。
【００２６】
なお、本実施の形態では、紙搬送手段として、渡し胴および排紙チェーンの例を挙げたが、これに限定されず例えば反転胴でもよく、要は紙の始端をくわえて搬送する際に紙尻が、紙搬送手段から離間するような紙搬送手段であれば適用できることはいうまでのないことである。
【００２７】
【発明の効果】
以上説明したように本発明によれば、紙の始端を把持して紙を搬送する紙搬送手段と、この紙搬送手段と間隔を有して配設された紙案内手段とを備え、前記紙案内手段を紙搬送手段による紙の搬送とほぼ同じ方向および速度で移動させたことにより、搬送される紙と紙案内手段とは相対的に停止状態にあるので、紙が案内手段に対して摺接することがなく、このため紙の印刷面に傷や汚れを発生させることなく、波立ちや暴れを阻止することができ、これによって印刷の品質を向上させることができるとともに、損紙の発生を防止することができる。また、紙案内手段を駆動する専用の駆動手段を紙搬送手段の本機側の駆動手段とは別に設けるとともに、前記紙案内手段を紙搬送手段による紙の搬送とほぼ同じ方向および速度で移動させるように、前記専用の駆動手段と本機側の駆動手段を制御する制御装置を設けたことにより、本機側の駆動手段との間の連結手段が不要となるので構造が簡素化される。
【００２８】
また、本発明によれば、紙案内手段の方向に紙を吸引する吸引手段を備えたことにより、紙は紙案内手段に強制的に吸着されるので、紙の波打ちや暴れを確実に防止できる。
【図面の簡単な説明】
【図１】  本発明に係る印刷機の紙案内装置の側面図である。
【図２】  本発明に係る印刷機の紙案内装置の要部の側面図である。
【図３】  本発明に係る印刷機の紙案内装置の要部の拡大斜視図である。
【図４】  （ａ）は図２におけるIVa-IVa 線断面図、（ｂ）は図２におけるIVb-IVb 線断面図である。
【図５】  本発明に係る印刷機の紙案内装置の第２の実施の形態を示し、（ａ）は要部の側面図、（ｂ）は（ａ）におけるVb-Vb 線断面図である。
【図６】  本発明に係る印刷機の紙案内装置の第３の実施の形態を示す要部の側面図である。
【図７】  本発明に係る印刷機の紙案内装置の第４の実施の形態を示す要部の側面図である。
【図８】  本発明に係る印刷機の紙案内装置の第５の実施の形態を示す側面図である。
【図９】  本発明に係る印刷機の紙案内装置の第６の実施の形態を示す側面図である。
【図１０】  本発明に係る印刷機の紙案内装置の第７の実施の形態を示し、駆動部のブロック図である。
【符号の説明】
１…渡し胴、４…くわえ爪装置、７…紙、８…紙案内手段、２０，２７…案内ベルト、３２…ローラ、４０…排紙チェーン、４５…爪竿、４７…ファン、５０…印刷機のモータ、５１…印刷速度検出器、５２…紙案内手段用モータ、５３…紙案内手段速度検出器、５４…制御装置。
【図１】
0003708598.tif 000002
【図２】
0003708598.tif 000003
【図３】
0003708598.tif 000004
【図４】
0003708598.tif 000005
【図５】
0003708598.tif 000006
【図１０】
0003708598.tif 000007
【図６】
0003708598.tif 000008
【図７】
0003708598.tif 000009
【図８】
0003708598.tif 000010
【図９】
0003708598.tif 000011